(57)【特許請求の範囲】
【請求項１】
後面に係止突条（９）  を横設し、底壁（４）  に対して起立した仕切り壁片（８）  と、該仕切り壁片（８）  の後面に対向した後側側壁（５）  部分に、前後方向に伸縮弾性変形自在な伸縮腕片（１２）を介して設けられ、前面に突片（１４）を横設した押圧片（１３）と、を有するドラム収納部（１５）を区画形成した有底短筒状の本体（１）  と、該本体（１）  の側端に開閉回動自在に蝶番結合した蓋体（１７）と、前面及び後面に、前記係止突条（９）  及び前記突片（１４）に係止する係止溝（１０）を設け、該係止溝（１０）を前記係止突条（９）  及び前記突片（１４）に係止させた状態で、後面を前記押圧片（１３）に押接させる前後幅を有する有底短筒状の化粧料収納用ドラム（２０）と、から成るコンパクト容器。
【請求項２】
左右方向に延びて本体（１）  の底壁（４）  後側部分に設けた底溝（１１）に伸縮腕片（１２）を位置させ、該伸縮腕片（１２）の中央に押圧片（１３）を一体に起立設した請求項１に記載のコンパクト容器。
【請求項３】
後面に係止突条（９）  を横設し、底壁（４）  に対して起立した仕切り壁片（８）  と、該仕切り壁片（８）  の後面に対向した後側側壁（５）  部分に、前後方向に伸縮弾性変形自在な伸縮腕片（１２）を介して設けられ、前面に突片（１４）を横設した押圧片（１３）と、を有するドラム収納部（１５）を区画形成した有底短筒状の本体（１）  と、該本体（１）  の側端に開閉回動自在に蝶番結合した蓋体（１７）と、前面及び後面に、前記係止突条（９）  及び前記突片（１４）に係止する係止溝（１０）を設け、該係止溝（１０）を前記係止突条（９）  及び前記突片（１４）に係止させた状態で、後面を前記押圧片（１３）に押接させる前後幅を有する有底短筒状の化粧料収納用ドラム（２０）と、から構成し、前記押圧片（１３）を後方に弾性変形可能な舌片形状とし、該押圧片（１３）の後方への弾性変形が可能な状態で、前記伸縮腕片（１２）の後方への伸長限を、該伸縮腕片（１２）の弾性変形範囲内に規制する突き当たり部（５ａ）を設けて成るコンパクト容器。
【請求項４】
左右方向に延びて本体（１）  の底壁（４）  後側部分に設けた底溝（１１）に伸縮腕片（１２）を位置させ、該伸縮腕片（１２）の中央に、支持片（１３ａ）  を一体に起立設し、該支持片（１３ａ）  に押圧片（１３）を垂下設した請求項３に記載のコンパクト容器。
【請求項５】
突き当たり部（５ａ）を、押圧片（１３）の後面上端部に当接する後側側壁（５）  の前端縁部とした請求項３に記載のコンパクト容器。
【請求項６】
押圧片（１３）の上方に位置し、後側頂壁（６）  の前端縁に前方に突設した張出し片（７）  の突設幅を、後側側壁（５）  とドラム（２０）後端縁との間に形成される隙間が隠れる程度に設定した請求項１または２または３または４または５に記載のコンパクト容器。
【請求項７】
本体（１）  の張出し片（７）  を、ドラム収納部（１５）の全横幅範囲にわたって設けた請求項６に記載のコンパクト容器。
【請求項８】
本体（１）  を、側端に蓋体（１７）を蝶番結合する有底短筒状の外枠体（２）  と、該外枠体（２）  内に嵌装組付けされ、ドラム収納部（１５）を形成する短筒状の中枠体（３）  とから構成し、前記外枠体（２）  の底壁（４）  に底溝（１１）を形成すると共に、仕切り壁（８）  を有する前記中枠体（３）  に押圧片（１３）を有する伸縮腕片（１２）を設けた請求項１または２または３または４または５または６または７に記載のコンパクト容器。
【発明の詳細な説明】
【０００１】
【産業上の利用分野】
本発明は、本体に対して、化粧料収納用のドラムを着脱自在に組付けることを可能としたコンパクト容器に関するものである。
【０００２】
【従来の技術】
本体に対して、化粧料収納用のドラムを着脱自在に組付ける構成とし、もって携帯する化粧料を詰め替えできるようにしたコンパクト容器の代表例として、実公昭６２−８８０１号公報に開示された技術がある。
【０００３】
この従来技術は、本体に形成されたドラム収納部に、ドラムを、前方に弾力を付勢された状態で、ドラムの前面下端を係止すると共に、ドラムの後端縁上面を本体側の内鍔片に下方から係止させて嵌装組付けし、ドラム交換時には、弾力に逆らってドラムをわずかに後退させて前端部の係止を解除して、ドラムのドラム収納部からの離脱を達成するものとなっており、このドラムの交換が容易であるという利点があった。
【０００４】
【発明が解決しようとする課題】
しかしながら、上記従来技術は、嵌装組付けされたドラムに対して弾力を作用させる部分であるバネ板が、先端をドラムに弾接させる形態で単純に起立設した構成であるので、このバネ板はドラム後面の最も突出した部分に、その先端を弾接させる必要があり、このためドラムまたはバネ板の構成が限定されるという問題があった。
【０００５】
また、従来技術におけるバネ板は、基端を固定した状態で、先端部を前後に弾性変形により変位させるものであるので、基端部は不動であり、このためバネ板の基端部とドラムとの間には、バネ板の弾性変形を可能とする隙間とは別に、本体のドラム収納部に対するドラムの前端面側の係止を解除するに充分な空隙を設ける必要があり、このためドラムに対する本体側の寸法関係の設定が面倒となると共に、収納空間として機能することのできない空隙を設けなければならないので、コンパクト容器の小型化を充分に達成することができないという問題があった。
【０００６】
さらに、ドラムの後端縁上面を本体側の内鍔に下方から係止させるので、ドラムが本体に組付いた状態では、ドラムの開口部上端面の後側部分だけが隠れることになり、このため本体に対するドラムの組付きの外観体裁が後側に偏った形態となって、本体に対するドラムの組付きの外観体裁に不安感を生じると云う問題があった。
【０００７】
そこで、本発明は、上記した従来技術における問題点を解消すべく創案されたもので、本体のドラム収納部に嵌装組付けされるドラムに対して、前方に押圧力を付勢する部分全体を前後方向に変位可能とすると共に、この部分でドラムの本体に対する係止保持を達成することを技術的課題とし、もって本体とドラムとの組合せ構造を簡単にすると共に、ドラム収納部に対するドラムの嵌装組付きを容易で確実なものとし、さらにコンパクト容器内に無駄な空間を形成しないようにすることを目的とする。
【０００８】
【課題を解決するための手段】
上記した技術的課題を解決する本発明の手段は、
後面に係止突条を横設し、底壁に対して起立した仕切り壁片と、この仕切り壁片の後面に対向した後側側壁部分に、前後方向に伸縮弾性変形自在な伸縮腕片を介して設けられ、前面に突片を横設した押圧片と、を有するドラム収納部を区画形成した有底短筒状の本体を有すること、
この本体の側端に開閉回動自在に蝶番結合した蓋体を有すること、
前面および後面に、本体の係止突条および突片に係止する係止溝を設け、この係止溝を本体の係止突条および突片に係止させた状態で、後面を本体の押圧片に押接させる前後幅を有する有底短筒状の化粧料収納用ドラムを有すること、
にある。
【０００９】
この場合、左右方向に延びて本体の底壁後側部分に設けた底溝に伸縮腕片を位置させ、この伸縮腕片の中央に押圧片を一体に起立設するのが良い。
【００１０】
また、本発明の他の手段は、
後面に係止突条を横設し、底壁に対して起立した仕切り壁片と、この仕切り壁片の後面に対向した後側側壁部分に、前後方向に伸縮弾性変形自在な伸縮腕片を介して設けられ、前面に突片を横設した押圧片と、を有するドラム収納部を区画形成した有底短筒状の本体を有すること、
この本体の側端に開閉回動自在に蝶番結合した蓋体を有すること、
前面および後面に、本体の係止突条および突片に係止する係止溝を設け、この係止溝を本体の係止突条および突片に係止させた状態で、後面を本体の押圧片に押接させる前後幅を有する有底短筒状の化粧料収納用ドラムを有すること、
本体の押圧片を後方に弾性変形可能な舌片形状とすること、
この本体の押圧片の後方への弾性変形が可能な状態で、本体の伸縮腕片の後方への伸長限を、この伸縮腕片の弾性変形範囲内に規制する突き当たり部を設けること、
にある。
【００１１】
この場合、左右方向に延びて本体の底壁後側部分に設けた底溝に伸縮腕片を位置させ、この伸縮腕片の中央に、支持片を一体に起立設し、この支持片に押圧片を垂下設するのが良く、また本体の突き当たり部を、押圧片の後面上端部に当接する後側側壁の前端縁部とするのが良い。
【００１２】
押圧片の上方に位置し、後側頂壁の前端縁に前方に突設した張出し片の突設幅を、後側側壁とドラム後端縁との間に形成される隙間が隠れる程度に設定するのが良く、この張出し片を、ドラム収納部の全横幅範囲にわたって設けるのが有効である。
【００１３】
本体を、側端に蓋体を蝶番結合する有底短筒状の外枠体と、この外枠体内に嵌装組付けされ、ドラム収納部を形成する短筒状の中枠体とから構成し、外枠体の底壁に底溝を形成すると共に、仕切り壁を有する中枠体に押圧片を有する伸縮腕片を設けた構成とするのが有利である。
【００１４】
【作用】
ドラムが本体のドラム収納部に組付いた状態では、ドラムは、その後面を本体の押圧片に弾接させた状態で、係止溝を本体の係止突条および突片に係止させ、この係止により本体に離脱不能に組付く。
【００１５】
この状態から、ドラムの前面に押圧力を作用させながら引き上げると、ドラムは伸縮腕片の弾力、または伸縮腕片および押圧片の弾力に逆らって押圧片と一緒に後退し、本体の係止突条とドラムの係止溝との係止が解除されるので、ドラムの前側がドラム収納部から引き上げられ、この状態のままドラムをドラム収納部から斜め前上方に引き出して、ドラムの本体からの離脱を達成する。
【００１６】
本体のドラム収納部に対するドラムの組付けは、ドラムをドラム収納部に対して斜め前上方から挿入して、ドラムの後側係止溝に押圧片の突片を係止させた状態で、伸縮腕片の弾力、または伸縮腕片および押圧片の弾力に逆らって押圧片と一緒に、ドラムの前端縁が係止突条を乗り越えることができる位置まで後退させた後、ドラムの前端部を係止溝が係止突条に対向する位置まで下降させ、その状態のままドラムに対する押圧力を取り去ることにより、伸縮腕片の弾力、または伸縮腕片および押圧片の弾力によりドラムは前進し、係止溝を係止突条に係止させて、本体に対するドラムの離脱不能な組付きが達成される。
【００１７】
本体のドラム収納部に対する組付き状態、およびドラム収納部に対するドラムの着脱操作形態から明らかなように、本体の押圧片は、前後方向に沿って伸縮弾性変形する伸縮腕片に設けられているので、この伸縮腕片の弾性変形により、その全体が前後方向に移動することになり、このため着脱のためのドラム収納部に対するドラムの前後方向への変位に対して、押圧片が邪魔となることがない。
【００１８】
押圧片は、その全体がドラムと一緒に前後に変位するので、ドラムと一緒に後退変位する際に、押接するドラム箇所が殆ど変化することなく、常にほぼ一定したドラム箇所に押接するので、押圧片に設けた突片のドラムに設けた係止溝に対する係止を、押圧片がドラムに押接している状態で常に確保することができ、これにより本体に対するドラムの組付けに際して、ドラムの挿入ストロークが制限されることがなく、その挿入組付けが円滑となり、かつドラムと押圧片との確実で安定した係止が達成維持される。
【００１９】
押圧片を舌片形状とし、突き当たり部を設けた構成にあっては、伸縮腕片の伸長限を、伸縮腕片の弾性変形範囲内である、本体の係止突条および突片とドラムの係止溝とが係止する位置、すなわちドラム装着完了状態位置に、突き当たり部により規制し、ドラムが本体の係止突条を乗り越えるためのドラムの変位ストローク分を押圧片の弾性変形により得ている。
【００２０】
このため、伸縮腕片は、本体にドラムを離脱不能に組付け保持するだけのために弾性変形すれば良く、本体に対するドラムの離脱不能な組付け保持には全く作用しない、ドラムが本体の係止突条を乗り越えるための変位ストローク分を得るための変形をする必要がなく、これにより伸縮腕片の弾性変形範囲を、本体にドラムを離脱不能に組付け保持するに必要な弾力を長期間にわたって安定して発揮することのできる範囲内に制限して設定し、必要以上の弾性変形にに伴う疲労変形による伸縮腕片の機能低下の発生を防止している。
【００２１】
【実施例】
以下、本発明の実施例を、図面を参照しながら説明する。
図１および図２に図示した第１の実施例にあって、本体１は、内面に鏡１９を固定し、一方側端に蝶番片１８を突設した蓋体１７を、この蝶番片１８により側端に蝶番結合した有底短四角筒状の底壁４を有する外枠体２と、この外枠体２内に嵌入する短四角筒状の中枠体３とから構成され、中枠体３は、外枠体２内に嵌入する短四角筒状の側壁５と、この側壁５の上端縁に外鍔状に連設された頂壁６と、側壁５内を前後に分割して後部のドラム収納部１５と前部の用具収納部１６とを形成する仕切り壁８とから構成されている。
【００２２】
中枠体３の仕切り壁８は、ドラム収納部１５に収納されたドラム２０の前側上端部を露出させて、このドラム２０のドラム収納部１５に対する着脱を行い易くするために、その中央部分の高さを低くして欠部を設けており、この欠部を設けた中央部の後面上端部に係止突条９を突設している。
【００２３】
また、この中枠体３の後端部には、左右の側壁５の下端縁間に、中央部を前方にやや突出させた形態で湾曲した伸縮腕片１２が架設されており、この伸縮腕片１２の中央部に、後方に突出した形態で、前面に突片１４を突設した押圧片１３が一体に起立設されている。
【００２４】
この中枠体３の伸縮腕片１２と押圧片１３との組合せ物に対して、外枠体２の底壁４上面後端部に、伸縮腕片１２が前後方向に沿って余裕を持って嵌入できる底溝１１が刻設状に設けられており、この底溝１１に伸縮腕片１２を位置させることにより、中枠体３を外枠体２に組付けて形成されるドラム収納部１５の底面を平坦とし、このドラム収納部１５に嵌装されるドラム２０の組付きを安定させるようにしている。
【００２５】
中枠体３の後側側壁５の前面上端縁に、この後側側壁５の全幅範囲にわたって頂壁６を前方に延出させた形態で設けた張出し片７は、ドラム２０がドラム収納部１５に嵌装された状態で、ドラム２０の後面と後側側壁５との間に形成される隙間、すなわち押圧片１３が位置する隙間と等しい突出幅で設けられている。
【００２６】
それゆえ、ドラム２０装着状態では、ドラム２０後面と後側側壁５との間に形成される隙間は、この張出し片７で覆い隠されることになり、ドラム２０装着時におけるコンパクト容器の外観体裁を良好なものとしている。
【００２７】
化粧料を収納保持するドラム２０は、ドラム収納部１５内に略隙間なく嵌装する有底短四角筒状体の外周面に、中枠体３の係止突条９および押圧片１３の突片１４が係止する係止溝１０を周設して構成し、前後の方向性を持たない構造となっている。
【００２８】
中枠体３の押圧片１３は、後側側壁５の切り欠いた中央部分に位置しており、押圧片１３を配置するために後側側壁５の一部を切欠くことにより、この後側側壁５の厚みを押圧片１３の前後方向への変位ストロークとすることができ、これにより押圧片１３を変位させるための無駄な空間をドラム収納部１５内に形成する必要がなくなり、コンパクト容器全体の寸法をできる限り小さくすることができるようにしている。
【００２９】
なお、用具収納部１６を形成する外枠体２の底壁４部分には、多数の小孔が開孔されて乾燥機能が高められており、用具収納部１６をパフ収納部として好適に機能するようにしている。
【００３０】
図３および図４に図示した第２の実施例にあっては、押圧片１３は、伸縮腕片１２の中央部に、後方に突出した形態で起立設された一対の支持片１３ａの上端間に、舌片形状に垂下設されており、支持片１３ａとの連設部分である上端部を支点として、突片１４を設けた下部が前後方向に弾性変位するようにしている。
【００３１】
また、押圧片１３に対向する後側側壁５部分には、後方に弾性変形する押圧片１３に対する逃げ空間を形成する目的で切欠きが設けられているが、この切欠きの上端縁部を形成する後側側壁５部分には、押圧片１３の上端部に対向して突き当たり部５ａが垂下状に設けられており、伸縮腕片１２の伸長限を、この突き当たり部５ａに対する押圧片１３の上端部の突き当たりにより設定するようにしている。
【００３２】
突き当たり部５ａを押圧片１３のの上端部に当接する構成とすることにより、押圧片１３を弾性変形させる図４図示の状態で、弾性変形した押圧片１３の反力が、伸縮腕片１２を上方に不正湾曲変形させる等の不都合を生じることなく、押圧片１３の弾性変形を適正なものとしている。
【００３３】
なお、押圧片１３は、図示実施例の構成に限定されることはなく、例えば一つの支持片１３ａの上端部から両側方に腕片を連設し、この両腕片のそれぞれに押圧片１３を垂下状に設けても良い。
【００３４】
【発明の効果】
本発明は、上記した構成となっているので、以下に示す効果を奏する。
本体に対するドラムの係止組付きを保持する押圧片が、その全体を前後方向に移動させる構成となっているので、この押圧片の一部にドラムが引っ掛かって、本体に対するドラムの着脱操作に不都合が生じるということが全くなく、もって円滑で確実なドラムの着脱操作を得ることができる。
【００３５】
押圧片を前後方向に変位する構成としたので、ドラムの着脱時に、押圧片の不動部にドラムが突き当たる恐れが全くなく、このため嵌着状態におけるドラムと押圧片との間に”逃げ”のための空隙を設ける必要がないと共に、押圧片を単にドラムに当接する構成とすれば良く、もって携帯用品であるコンパクト容器内に無駄な空間を形成する必要がなく、内部空間を有効使用できると共に、本体とドラムとの組付き寸法関係の設定が簡単となる。
【００３６】
伸縮腕片の伸長限を、ドラム収納部に対するドラムの嵌装完了位置に規制し、本体の係止突条を乗り越えるためのドラムの変位ストローク分を押圧片の弾性変形により得るようにしているので、本体に対するドラムの係止保持を達成するに必要なストローク以上の弾性変形を伸縮腕片に生じさせることがなく、これにより伸縮腕片に材料疲労による弾力の劣化の発生がないと共に、本体に対するドラムの適正な着脱操作力を得ることができ、もって長期間にわたって安定した本体に対するドラムの係止保持を得ることができる。
【図面の簡単な説明】
【図１】本発明の一実施例に示す、一部破断除去した全体分解斜視図。
【図２】図１に示した実施例における、要部拡大縦断面図。
【図３】本発明の他の実施例を示す、一部破断除去した全体分解斜視図。
【図４】図３に示した実施例における、要部拡大縦断面図。
【符号の説明】
１    ；  本体
２    ；  外枠体
３    ；  中枠体
４    ；  底壁
５    ；  側壁
５ａ  ；  突き当たり部
６    ；  頂壁
７    ；  張出し片
８    ；  仕切り壁片
９    ；  係止突条
１０  ；  係止溝
１１  ；  底溝
１２  ；  伸縮腕片
１３  ；  押圧片
１３ａ；  支持片
１４  ；  突片
１５  ；  ドラム収納部
１６  ；  用具収納部
１７  ；  蓋体
１８  ；  蝶番
１９  ；  鏡
２０  ；  ドラム
【図１】
0003603140.tif 000002
【図２】
0003603140.tif 000003
【図３】
0003603140.tif 000004
【図４】
0003603140.tif 000005